(57)【要約】【課題】ブラケットへのブラシの組込性を向上させる。【解決手段】ブラケット６に、端子部１１ｃの自由端近傍に臨み、端子部１１ｃと接触する外部電源の給電端子の挿入方向に対して直交する接触面を有する第１のブラシ支持部１２と、この第１のブラシ支持部１２の接触面と垂直をなす接触面を有し、該接触面に端子部１１ｃの一部が嵌着される嵌合溝１３ａが形成された第２のブラシ支持部１３とがブラケット６と一体に設けられている。そして、これら第１のブラシ支持部１２と第２のブラシ支持部１３とは、ブラケット６において、分離して形成されている。【選択図】  図２
2004194446.tif 000002
【特許請求の範囲】
【請求項１】
ブラケットに、ブラシ部、該ブラシ部を支持するブラシアーム部及び該ブラシアーム部と一体に形成された端子部からなるブラシアッセンブリが組み込まれる小型モータにおいて、
上記端子部は、自由端側において略直角に折曲されるとともに、先端部が折り返されて弾性が付与され、
上記ブラケットには、上記直角に折曲された端子部を支持する第１及び第２のブラシ支持部が変形可能に分離して形成されていることを特徴とする小型モータ。
【請求項２】
上記折り返しにより弾性が付与された先端部を支持する第２のブラシ支持部には、端子部を収容する嵌合溝が形成され、樹脂ブラケットの係止片により端子部の側面が支持されることを特徴とする請求項１記載の小型モータ。
【請求項３】
前記樹脂ブラケットの係止片を弾性変形させて前記端子部を第２のブラシ支持部に装着することを特徴とする請求項１記載の小型モータ。
【請求項４】
上記ブラシアッセンブリは、ブラシアーム部と端子部との間にサーミスタが圧入されていることを特徴とする請求項１記載の小型モータ。
【発明の詳細な説明】
【０００１】
【発明の属する技術分野】
本発明は、音響機器等に使用される小型モータに関し、特に該小型モータにおけるブラシアッセンブリの組込構造の改良に関する。
【０００２】
【従来の技術】
従来から、例えばオーディオテープレコーダにおいてテープを駆動する小型モータは、回転するロータのコアに巻回された駆動コイルに給電するために、ブラシが使用されている。このようなブラシは、ロータの回転軸に設けられた円筒状の導電体から成る整流子に対して弾性的に当接し、外部電源からブラシ、整流子を介して、駆動コイルに給電するようになっている。
【０００３】
図４に、従来のブラシの取付構造を示す。ブラシ５１は、整流子に当接するブラシ部５１ａと、このブラシ部５１ａを保持するブラシアーム部５１ｂと、外部電源から給電される際の外部端子となる端子部５１ｃとからなる。そして、このブラシ５１においては、ブラシアーム部５１ｂ及び端子部５１ｃが板状の導電性材料、例えば銅板により形成され且つ一体に接続されており、全体略Ｕ字状に折り曲げられている。
【０００４】
このようなブラシ５１は、同図に示すように、上記小型モータのモータケースの開放部を塞ぐ樹脂製のブラケット６１に取り付けられる。具体的には、略Ｕ字状に折り曲げられたブラシアーム部５１ｂと端子部５１ｃをブラケット６１の内周壁６１ａや、該ブラケット６１と一体に設けられた略Ｌ字状の支持部６２に沿うように組み込み、ブラシアーム部５１ｂと端子部５１ｃとの弾性によるこれらブラケット６１の内周壁６１ａや支持部６２を押圧する力を利用して取り付けられている。
【０００５】
また、端子部５１ｃでは、外部電源の給電端子と接触する自由端において、より強固な取付構造とされている。すなわち、ブラシ５１は、端子部５１ｃの自由端が略三角形状に接曲加工され、この自由端部分を内周壁６１ａと支持部６２との隙間に組み込んで、該自由端部分におけるより強く生ずる弾性力を利用してブラケット６１に取り付けられている。
【０００６】
【発明が解決しようとする課題】
しかしながら、上述したブラシ５１は、ブラシアーム部５１ｂ及び端子部５１ｃの弾性力のみに頼った取付構造によりブラケット６１に取り付けられているため、外れやすく、組込性が悪いという問題がある。
【０００７】
また、ブラシ５１の取付強度をより強固にするためには、端子部５１ｃの自由端の加工が必要であるが、このような細かい部分の加工によって、ブラケット６１への組込作業が煩雑となるばかりでなく、モータ自体の生産性を低下させるという問題が生じている。
【０００８】
そこで、本発明は、ブラケットへのブラシの組込性が向上した小型モータを提供することを目的とする。
【０００９】
【課題を解決するための手段】
上述した目的を達成する本発明に係る小型モータは、ブラケットに、ブラシ部、該ブラシ部を支持するブラシアーム部及び該ブラシアーム部と一体に形成された端子部からなるブラシアッセンブリが組み込まれる小型モータにおいて、上記端子部は、自由端側において略直角に折曲されるとともに、先端部が折り返されて弾性が付与され、上記ブラケットには、上記直角に折曲された端子部を支持する第１及び第２のブラシ支持部が変形可能に分離して形成されていることを特徴とする。
【００１０】
上述した構成を有する本発明に係る小型モータでは、ブラシアッセンブリの端子部を収容する嵌合溝が形成された第２のブラシ支持部が、第１のブラシ支持部とは分離して設けられる。これによって、第２のブラシ支持部の可動性が向上しており、第２のブラシ支持部を一度端子部から離間する方向に簡単に動かすことが可能となる。このように、第２のブラシ支持部を動かすことで、端子部を嵌合溝に嵌着させやすい位置に移動させることが容易となり、これにより、ブラシアッセンブリのブラケットに対する組込性が向上する。
【００１１】
また、例えば折り返しにより弾性が付与された先端部を支持する第２のブラシ支持部に端子部を収容する嵌合溝を形成し、樹脂ブラケットの係止片により端子部の側面が支持するようにすれば、装着状態も安定なものとなり、不用意な脱落が防止される。
【００１２】
【発明の実施の形態】
以下、本発明に係る小型モータの具体的な実施の形態について図面を参照しながら詳細に説明する。
【００１３】
小型モータ１は、図１に示すように、例えば軟鉄等金属材料によって有底筒状に形成されたモータケース２に対して、該モータケース２に設けられた第１の軸受３によって回転自在に支持されたロータ４と、モータケース２の内面に配設されたマグネット５から成るステータとから構成されている。そして、小型モータ１は、モータケース２の開放部が、詳細を後述するブラシアッセンブリが取り付けられたブラケット６によって塞がれている。
【００１４】
ロータ４は、第１の軸受３に一端部側が支持された回転軸７と、回転軸７に固定され且つ駆動コイル（図示せず）が巻回されたコア８と、回転軸７のブラケット６側の他端部付近に配された駆動コイルへの給電用の整流子９とを備えて構成されている。
【００１５】
ブラケット６は、樹脂材料により形成されており、ロータ４を構成する回転軸７の他端部側を回転自在に支持する第２の軸受１０が配設されている。なお、ブラケット６に第２の軸受１０を配さずに、ブラケット６自体がスラスト軸受として回転軸７の他端部を支持する構造としてもよい。
【００１６】
また、ブラケット６には、図２に示すように、外部電源からロータ４を構成する駆動コイルに給電するための一対のブラシアッセンブリ１１が取り付けられている。このブラシアッセンブリ１１は、上記ロータ４の整流子９に摺接するブラシ部１１ａと、このブラシ部１１ａが取り付けられたブラシアーム部１１ｂと、このブラシアーム部１１ｂと一体に形成された端子部１１ｃとにより構成されている。
【００１７】
ブラシ部１１ａは、ブラシアーム部１１ｂの自由端側に取り付けられたカーボンブラシであり、その端面が上述したロータ４を構成する整流子９に摺接するよう配されている。
【００１８】
ブラシアーム部１１ｂは、比較的肉薄な板状の導電性材料、例えば銅板からなる。小型モータ１が組み立てられた際には、一対のブラシ部１１ａの間に、これらブラシ部１１ａを外側に押し出すようにして整流子９が配されるが、このときブラシ部１１ａには、ブラシアーム部１１ｂの弾性力によって、整流子９に押し付けられる。このように、ブラシアーム部１１ｂは、その弾性力によって上記ブラシ部１１ａの整流子９に対する弾性的な摺接を可能としている。
【００１９】
端子部１１ｃは、ブラシアーム部１１ｂと同様に銅板等の板状の導電性材料により形成されているが、ブラシアーム部１１ｂに比して比較的肉厚に形成されている。この端子部１１ｃは、上記ブラシアーム部１１ｂ一体に形成されてなり、該ブラシアーム部１１ｂとの電気的導通が確保されている。一体に形成された端子部１１ｃとブラシアーム部１１ｂとは、全体略Ｕ字状に接曲されてブラケット６に配される。
【００２０】
また、端子部１１ｃは、その自由端部近傍が略Ｓ字状に接曲されている。小型モータ１においては、端子部１１ｃの自由端が、外部電源の給電端子と接触することによって、上記ブラシ部１１ａ及びブラシアーム部１１ｂを介した整流子９への給電が行われる。
【００２１】
さらに、ブラケット６には、に示すように、上述したブラシアッセンブリ１１、特に外部電源の給電端子と接触する端子部１１ｃにおける自由端部を支持するための第１及び第２のブラシ支持部１２、１３が形成されている。これら支持部は、ブラケット６と一体に形成されており、上述したように略Ｓ字状に接曲された端子部１１ｃの自由端の配設位置に臨み、且つ端子部１１ｃの自由端を２点において支持し得る位置、具体的には第１のブラシ支持部１２は、端子部１１ｃとの接触面が外部電源の給電端子の挿入方向（同図中上から下）に対して直交するよう設けられ、また、第２のブラシ支持部１３は、第１のブラシ支持部１２に近接し、且つ端子部１１ｃとの接触面が第１のブラシ支持部１２における端子部１１ｃとの接触面と垂直をなすよう設けられている。
【００２２】
小型モータ１は、第１及び第２のブラシ支持部１２、１３が上述したように設けられることで、外部電源の給電端子が接触した場合に、該給電端子の挿入方向に端子部１１ｃが押圧された場合であっても、この押圧力によるブラシアッセンブリ１１のブラケット６内での位置ずれを有効に防止することができる。
【００２３】
また、第２のブラシ支持部１３は、同図及び図３（ａ）、（ｂ）に示すように、端子部１１ｃとの接触面に、嵌合溝１３ａが形成されている。この嵌合溝１３ａには、ブラシアッセンブリ１１がブラケット６に組み込まれた際に、端子部１１ｃが嵌着される。
【００２４】
小型モータ１では、上述した第２のブラシ支持部１３の嵌合溝１３ａに端子部１１ｃの一部を嵌合させることで、ブラケット６内での移動が拘束され、ブラシアッセンブリ１１の位置ずれを防止することができる。また、組み込み後には、嵌合溝１３ａの側壁である係止片１３ｂにより端子部１１ｃの側面が支持されるので、装着状態が安定化し、不用意な脱落が防止される。
【００２５】
上述した小型モータ１においては、ブラシアッセンブリ１１が、以下のようにしてブラケット６に組み込まれて取り付けられる。まず、略Ｕ字状に折曲されたブラシアーム部１１ｂと端子部１１ｃとがブラケット６の内周壁６ａ形状にそって嵌め込まれる。その後、第２のブラシ支持部１３の嵌合溝１３ａに、該第２のブラシ支持部１３に当接する端子部１１ｃが嵌着される。小型モータ１においては、第２のブラシ支持部１３はブラケット６と一体に形成された同材料、すなわち弾性を有する樹脂材料からなる部材であり、且つ第１のブラシ支持部１２とは分離して形成されているため、第１及び第２のブラシ支持部１２、１３を一体に形成した場合に比して、第２のブラシ支持部１２の弾性変形による図３（ａ）中矢印方向への可動性が向上している。したがって、第２のブラシ支持部１３を一度端子部１１ｃから離間する方向に動かすことによって、例えば第２のブラシ支持部１３とブラケット６の他の壁部との隙間を広げる等して、端子部１１ｃの嵌合溝１３ａへの嵌着を容易に行うことが可能となる。
【００２６】
このように、小型モータ１では、上述したように第１のブラシ支持部１２とは独立した第２のブラシ支持部１３を設けることで、ブラシアッセンブリ１１の端子部１１ｃの嵌合溝１３ａへの嵌着が容易となり、ブラシアッセンブリ１１の組込性を向上させることができる。
【００２７】
また、小型モータ１では、ブラシアッセンブリ１１の端子部１１ｃの自由端形状を、比較的簡単なＳ字状に接曲するだけで良く、該自由端部の接曲加工が容易となる。したがって、ブラシアッセンブリ１１の組込作業が簡単になり、小型モータ１の生産性を向上させることができる。
【００２８】
なお、本発明は、上述した構成に限定されるものではなく、例えばブラシアーム部と端子部との間に、一定温度を超えると急激に内部抵抗値が上昇する特性を有するサーミスタが圧入されたブラシアッセンブリをブラケットに組み込む際にも適用することが可能である。このようなサーミスタの圧入によって、小型モータに過電流が流れ温度が上昇した際に、一定温度にて小型モータへの供給電流を低下させることができるようになり、小型モータの過熱状態を防止することができるようになる。
【００２９】
【発明の効果】
以上、詳細に説明したように本発明に係る小型モータでは、ブラシアッセンブリの端子部を嵌着する嵌合溝が形成された第２のブラシ支持部が、第１のブラシ支持部とは分離して設けられたことによって、第２のブラシ支持部の可動性が向上している。したがって、本発明によれば、第２のブラシ支持部を一度端子部から離間する方向に動かし、端子部を嵌合溝に嵌着させやすい位置に移動させることによって、端子部の嵌合溝への嵌着を容易に行うことが可能となり、ブラシアッセンブリのブラケットに対する組込性を向上させることができる。
【図面の簡単な説明】
【図１】本発明に係る小型モータの一部を破断して示す断面図である。
【図２】同小型モータのブラケットを内面側から見た図である。
【図３】（ａ）は、ブラケットの第１及び第２のブラシ支持部材近傍を拡大して示す図であり、（ｂ）は、嵌合溝への端子部の嵌着状態を示す断面図である。
【図４】従来の小型モータのブラケットを内面側から見た図である。
【符号の説明】
１          小型モータ
２          モータケース
３          第１の軸受
４          ロータ
５          マグネット
６          ブラケット
７          回転軸
８          コア
９          整流子
１０        第２の軸受け
１１        ブラシアッセンブリ
１１ａ      ブラシ部
１１ｂ      ブラシアーム部
１１ｃ      端子部
１２        第１のブラシ支持部
１３        第２のブラシ支持部
１３ａ      嵌合溝
【図１】
2004194446.tif 000003
【図２】
2004194446.tif 000004
【図３】
2004194446.tif 000005
【図４】
2004194446.tif 000006